(57)【特許請求の範囲】
【請求項１】
第１スマートランプがブロードキャストした、前記第１スマートランプの現在の第１発光色情報が含まれるデバイス起動通知を受信するステップと、
前記第１スマートランプに対応する制御オプションを表示するステップと、
前記第１スマートランプに対応する制御オプションによりトリガーされた目標機能の実行指令を受信した場合、前記第１スマートランプに前記目標機能に対応する制御リクエストを送信するステップと、
を含む、スマートランプを制御する方法であって、
前記第１スマートランプに対応する制御オプションを表示するステップでは、
既に受信された他のスマートランプが送信したデバイス起動通知に含まれた前記他のスマートランプの現在の発光色情報に前記第１発光色情報が含まれる場合、前記他のスマートランプの現在の発光色情報以外の第２発光色情報を決定し、前記第１スマートランプに前記第２発光色情報が含まれる発光色切替リクエストを送信し、かつ、前記第２発光色情報に基づいて、前記第１スマートランプに対応する制御オプションを表示し、
既に受信された他のスマートランプが送信したデバイス起動通知に含まれた発光色情報に前記第１発光色情報が含まれていない場合、前記第１発光色情報に基づいて、前記第１スマートランプに対応する制御オプションを表示する、スマートランプを制御する方法。
【請求項２】
第１スマートランプがブロードキャストした、前記第１スマートランプの現在の第１発光色情報が含まれるデバイス起動通知を受信するステップと、
前記第１スマートランプに対応する制御オプションを表示するステップと、
前記第１スマートランプに対応する制御オプションによりトリガーされた目標機能の実行指令を受信した場合、前記第１スマートランプに前記目標機能に対応する制御リクエストを送信するステップと、
を含む、スマートランプを制御する方法であって、
前記第１スマートランプに対応する制御オプションを表示するステップでは、
既に受信された他のスマートランプが送信したデバイス起動通知に含まれた前記他のスマートランプの現在の発光色情報に前記第１発光色情報が含まれる場合、前記第１スマートランプに前記他のスマートランプの現在の発光色情報が含まれる発光色切替リクエストを送信し、前記第１スマートランプが送信した前記他のスマートランプの現在の発光色情報以外の第２発光色情報を受信し、かつ、前記第２発光色情報に基づいて、前記第１スマートランプに対応する制御オプションを表示し、
既に受信された他のスマートランプが送信したデバイス起動通知に含まれた発光色情報に前記第１発光色情報が含まれていない場合、前記第１発光色情報に基づいて、前記第１スマートランプに対応する制御オプションを表示する、スマートランプを制御する方法。
【請求項３】
前記第１スマートランプに対応する制御オプションを表示するステップは、
前記第２発光色情報に基づいて、前記第１スマートランプに対応する制御オプションを表示する場合、前記制御オプションの文字の色を前記第２発光色情報に対応する色に設定するステップ、を含む、
ことを特徴とする請求項１または２に記載の方法。
【請求項４】
前記第１スマートランプに対応する制御オプションによりトリガーされた目標機能の実行指令を受信した場合、前記第１スマートランプに前記目標機能に対応する制御リクエストを送信するステップは、
第１スマートランプに対応する制御オプションによりトリガーされたネットワークアクセス機能の実行指令を受信した場合、ユーザが入力したネットワーク識別子を取得し、前記第１スマートランプにネットワークアクセスリクエストを送信するステップであって、前記ネットワークアクセスリクエストに前記ネットワーク識別子が含まれるステップ、を含む、
ことを特徴とする請求項１〜３のいずれか一項に記載の方法。
【請求項５】
スマートランプを制御する方法であって、
第１スマートランプが起動されると、前記第１スマートランプの現在の第１発光色情報を決定するステップと、
前記第１発光色情報が含まれるデバイス起動通知をブロードキャストするステップと、
端末により送信した、他のスマートランプの現在の発光色情報以外の第２発光色情報が含まれる発光色切替リクエストを受信するステップと、
発光色を前記第２発光色情報に対応する発光色に切替えるステップと、
前記端末により送信した目標機能に対応する制御リクエストを受信し、前記目標機能を実行するステップと、
を含む、スマートランプを制御する方法。
【請求項６】
スマートランプを制御する方法であって、
第１スマートランプが起動されると、前記第１スマートランプの現在の第１発光色情報を決定するステップと、
前記第１発光色情報が含まれるデバイス起動通知をブロードキャストするステップと、
端末により送信した、他のスマートランプの発光色情報が含まれる発光色切替リクエストを受信するステップと、
発光色を前記他のスマートランプの発光色情報に対応する発光色以外の発光色に切替え、切替えられた発光色に対応する第２発光色情報を決定するステップと、
前記端末に前記第２発光色情報を送信するステップと、
前記端末により送信した目標機能に対応する制御リクエストを受信し、前記目標機能を実行するステップと、
を含む、スマートランプを制御する方法。
【請求項７】
端末により送信した目標機能に対応する制御リクエストを受信し、前記目標機能を実行するステップは、
前記端末により送信した、ネットワーク識別子が含まれるネットワークアクセスリクエストを受信するステップと、
前記ネットワーク識別子に基づいて対応するネットワークにアクセスするステップと、を含む、
ことを特徴とする請求項５または６に記載の方法。
【請求項８】
第１スマートランプがブロードキャストした、前記第１スマートランプの現在の第１発光色情報が含まれるデバイス起動通知を受信するための受信モジュールと、
前記第１スマートランプに対応する制御オプションを表示するための表示モジュールであって、
既に受信された他のスマートランプが送信したデバイス起動通知に含まれた前記他のスマートランプの現在の発光色情報に前記第１発光色情報が含まれる場合、前記他のスマートランプの現在の発光色情報以外の第２発光色情報を決定するための決定サブモジュールと、
前記第１スマートランプに前記第２発光色情報が含まれる発光色切替リクエストを送信するための第１送信サブモジュールと、
を含む、表示モジュールと、
前記第１スマートランプに対応する制御オプションによりトリガーされた目標機能の実行指令を受信した場合、前記第１スマートランプに前記目標機能に対応する制御リクエストを送信するための送信モジュールと、
を含む、端末であって、
前記表示モジュールは、既に受信された他のスマートランプが送信したデバイス起動通知に含まれた前記他のスマートランプの現在の発光色情報に前記第１発光色情報が含まれる場合、前記第２発光色情報に基づいて、前記第１スマートランプに対応する制御オプションを表示し、既に受信された他のスマートランプが送信したデバイス起動通知に含まれた発光色情報に前記第１発光色情報が含まれていない場合、前記第１発光色情報に基づいて、前記第１スマートランプに対応する制御オプションを表示するように構成される、端末。
【請求項９】
第１スマートランプがブロードキャストした、前記第１スマートランプの現在の第１発光色情報が含まれるデバイス起動通知を受信するための受信モジュールと、
前記第１スマートランプに対応する制御オプションを表示するための表示モジュールであって、
既に受信された他のスマートランプが送信したデバイス起動通知に含まれた前記他のスマートランプの現在の発光色情報に前記第１発光色情報が含まれる場合、前記第１スマートランプに前記他のスマートランプの現在の発光色情報が含まれる発光色切替リクエストを送信するための第２送信サブモジュールと、
前記第１スマートランプが送信した前記他のスマートランプの現在の発光色情報以外の第２発光色情報を受信するための受信サブモジュールと、
を含む、表示モジュールと、
前記第１スマートランプに対応する制御オプションによりトリガーされた目標機能の実行指令を受信した場合、前記第１スマートランプに前記目標機能に対応する制御リクエストを送信するための送信モジュールと、
を含む、端末であって、
前記表示モジュールは、既に受信された他のスマートランプが送信したデバイス起動通知に含まれた前記他のスマートランプの現在の発光色情報に前記第１発光色情報が含まれる場合、前記第２発光色情報に基づいて、前記第１スマートランプに対応する制御オプションを表示し、既に受信された他のスマートランプが送信したデバイス起動通知に含まれた発光色情報に前記第１発光色情報が含まれていない場合、前記第１発光色情報に基づいて、前記第１スマートランプに対応する制御オプションを表示するように構成される、端末。
【請求項１０】
前記表示モジュールは、
前記第２発光色情報に基づいて、前記第１スマートランプに対応する制御オプションを表示する場合、前記制御オプションの文字の色を前記第２発光色情報に対応する色に設定する、
ことを特徴とする請求項８または９に記載の端末。
【請求項１１】
前記送信モジュールは、
前記第１スマートランプに対応する制御オプションによりトリガーされたネットワークアクセス機能の実行指令を受信した場合、ユーザが入力したネットワーク識別子を取得し、前記第１スマートランプに、前記ネットワーク識別子が含まれるネットワークアクセスリクエストを送信する、
ことを特徴とする請求項８〜１０のいずれか一項に記載の端末。
【請求項１２】
第１スマートランプが起動されると、前記第１スマートランプの現在の第１発光色情報を決定するための決定モジュールと、
前記第１発光色情報が含まれるデバイス起動通知をブロードキャストするためのブロードキャストモジュールと、
端末により送信した、他のスマートランプの現在の発光色情報以外の第２発光色情報が含まれる発光色切替リクエストを受信するための受信モジュールと、
発光色を前記第２発光色情報に対応する発光色に切替えるための切替モジュールと、
前記端末により送信した目標機能に対応する制御リクエストを受信し、前記目標機能を実行するための実行モジュールと、
を含む、第１スマートランプ。
【請求項１３】
第１スマートランプが起動されると、前記第１スマートランプの現在の第１発光色情報を決定するための決定モジュールと、
前記第１発光色情報が含まれるデバイス起動通知をブロードキャストするためのブロードキャストモジュールと、
端末により送信した、他のスマートランプの発光色情報が含まれる発光色切替リクエストを受信するための受信モジュールと、
発光色を前記他のスマートランプの発光色情報に対応する発光色以外の発光色に切替え、切替えられた発光色に対応する第２発光色情報を決定するための切替モジュールと、
前記端末に前記第２発光色情報を送信するための送信モジュールと
前記端末により送信した目標機能に対応する制御リクエストを受信し、前記目標機能を実行するための実行モジュールと、
を含む、第１スマートランプ。
【請求項１４】
前記受信モジュールは、前記端末により送信した、ネットワーク識別子が含まれるネットワークアクセスリクエストを受信し、
前記実行モジュールは、前記ネットワーク識別子に基づいて対応するネットワークにアクセスする、
ことを特徴とする請求項１２または１３に記載の第１スマートランプ。
【請求項１５】
スマートランプを制御するシステムであって、
第１スマートランプがブロードキャストした、前記第１スマートランプの現在の第１発光色情報が含まれるデバイス起動通知を受信し、既に受信された他のスマートランプが送信したデバイス起動通知に含まれた前記他のスマートランプの現在の発光色情報に前記第１発光色情報が含まれる場合、前記第１スマートランプに前記他のスマートランプの現在の発光色情報が含まれる発光色切替リクエストを送信し、前記第１スマートランプが送信した前記他のスマートランプの現在の発光色情報以外の第２発光色情報を受信し、かつ、前記第２発光色情報に基づいて、前記第１スマートランプに対応する制御オプションを表示し、既に受信された他のスマートランプが送信したデバイス起動通知に含まれた発光色情報に前記第１発光色情報が含まれていない場合、前記第１発光色情報に基づいて、前記第１スマートランプに対応する制御オプションを表示し、前記第１スマートランプに対応する制御オプションによりトリガーされた目標機能の実行指令を受信した場合、前記第１スマートランプに前記目標機能に対応する制御リクエストを送信するための端末と、
前記第１スマートランプが起動されると、前記第１スマートランプの現在の第１発光色情報を決定し、前記第１発光色情報が含まれたデバイス起動通知をブロードキャストし、前記端末により送信された前記発光色切替リクエストを受信し、かつ、発光色を前記第２発光色情報に対応する発光色に切替え、端末により送信した目標機能に対応する制御リクエストを受信し、前記目標機能を実行するための前記第１スマートランプと、
を含む、スマートランプを制御するシステム。
【請求項１６】
スマートランプを制御するシステムであって、
第１スマートランプがブロードキャストした、前記第１スマートランプの現在の第１発光色情報が含まれるデバイス起動通知を受信し、既に受信された他のスマートランプが送信したデバイス起動通知に含まれた前記他のスマートランプの現在の発光色情報に前記第１発光色情報が含まれる場合、前記第１スマートランプに前記他のスマートランプの現在の発光色情報が含まれる発光色切替リクエストを送信し、前記第１スマートランプが送信した前記他のスマートランプの現在の発光色情報以外の第２発光色情報を受信し、かつ、前記第２発光色情報に基づいて、前記第１スマートランプに対応する制御オプションを表示し、既に受信された他のスマートランプが送信したデバイス起動通知に含まれた発光色情報に前記第１発光色情報が含まれていない場合、前記第１発光色情報に基づいて、前記第１スマートランプに対応する制御オプションを表示し、前記第１スマートランプに対応する制御オプションによりトリガーされた目標機能の実行指令を受信した場合、前記第１スマートランプに前記目標機能に対応する制御リクエストを送信するための端末と、
前記第１スマートランプが起動されると、前記第１スマートランプの現在の第１発光色情報を決定し、前記第１発光色情報が含まれたデバイス起動通知をブロードキャストし、前記端末により送信された前記発光色切替リクエストを受信し、発光色を前記他のスマートランプの発光色情報に対応する発光色以外の発光色に切替え、切替えられた発光色に対応する前記第２発光色情報を決定し、かつ、前記端末に前記第２発光色情報を送信し、端末により送信した目標機能に対応する制御リクエストを受信し、前記目標機能を実行するための前記第１スマートランプと、
を含む、スマートランプを制御するシステム。
【発明の詳細な説明】
【技術分野】
【０００１】
本出願は、２０１６年４月２０日に中国国家知識産権局に提出された特許出願番号が２０１６１０２４８６９０．１である特許出願の優先権及び権益を主張するものであり、当該中国特許出願の全容を参照して本明細書に組み入れられる。
【０００２】
技術分野
本発明は、コンピュータ技術分野に関し、特に、スマートランプを制御する方法、装置及びシステムに関する。
【背景技術】
【０００３】
コンピュータ技術の発展と共に、例えばスマートエアコン、スマートランプなどのスマートデバイスは人々の生活に大きな利便性を提供した。ユーザは携帯電話、タブレットＰＣなどの端末によりスマートデバイスに対する制御を実現することができる。
【０００４】
従来技術において、ユーザが端末によりあるスマートランプを制御する場合、当該スマートランプは端末と通信する必要があり、スマートランプが起動されると、スマートランプに対応するデバイスタイプ（即ち、スマートランプ）が含まれるデバイス起動通知を周囲へブロードキャストし、端末はスマートランプがブロードキャストしたデバイス起動通知を受信し、端末インターフェースに対応の制御オプションを表示し、対応のデバイスタイプをスマートランプに表示し、ユーザが操作端末における制御オプションを操作することにより、スマートランプに対応の操作を実行させる。
【発明の概要】
【発明が解決しようとする課題】
【０００５】
本発明を実現する過程において、発明者は、従来技術において少なくとも以下の課題が存在していることを見出した。
【０００６】
複数のスマートランプが同時に通電すると、端末が複数のデバイス起動通知を連続的に受信するが、デバイス起動通知に含まれたデバイスタイプは何れもスマートランプであるため、端末が複数のスマートランプの制御オプションを区別に表示できない。あるスマートランプを制御する際、ユーザがスマートランプを１つ１つ除外しないと、制御しようとするスマートランプを見つからないため、スマートランプの制御効率が低下する。
【課題を解決するための手段】
【０００７】
関連技術に存在する課題を克服するために、本発明はスマートランプを制御する方法を提供する。その技術案は、以下に示される。
【０００８】
本発明の実施例における第１態様では、スマートランプを制御する方法であって、前記方法は、
第１スマートランプがブロードキャストした、前記第１スマートランプの現在の第１発光色情報が含まれるデバイス起動通知を受信するステップと、
前記第１発光色情報により、前記第１スマートランプに対応する制御オプションを表示するステップと、
前記第１スマートランプに対応する制御オプションによりトリガーされた目標機能の実行指令を受信した場合、前記第１スマートランプに前記目標機能に対応する制御リクエストを送信するステップと、を含む。
【０００９】
選択的には、前記第１発光色情報に基づいて、前記第１スマートランプに対応する制御オプションを表示するステップは、
既に受信された他のスマートランプが送信したデバイス起動通知に含まれた発光色情報に前記第１発光色情報が含まれる場合、前記他のスマートランプが送信したデバイス起動通知に含まれた発光色情報以外の第２発光色情報を決定するステップと、
前記第１スマートランプに発光色切替リクエストを送信するステップであって、前記発光色切替リクエストに前記第２発光色情報が含まれるステップと、
前記第２発光色情報に基づいて、前記第１スマートランプに対応する制御オプションを表示するステップとを含む。
【００１０】
これにより、第１スマートランプと他のスマートランプとを区別できる。
【００１１】
選択的には、前記第１発光色情報に基づいて、前記第１スマートランプに対応する制御オプションを表示するステップは、
既に受信された他のスマートランプが送信したデバイス起動通知に含まれた発光色情報に前記第１発光色情報が含まれる場合、前記第１スマートランプに発光色切替リクエストを送信するステップであって、前記発光色切替リクエストに前記他のスマートランプが送信したデバイス起動通知に含まれた発光色情報が含まれるステップと、
前記第１スマートランプが送信した第２発光色情報を受信するステップと、
前記第２発光色情報に基づいて、前記第１スマートランプに対応する制御オプションを表示するステップとを含む。
【００１２】
これにより、第１スマートランプと他のスマートランプとを区別できる。
【００１３】
選択的には、前記第２発光色情報に基づいて、前記第１スマートランプに対応する制御オプションを表示するステップは、
前記第１スマートランプに対応する制御オプションを表示し、前記制御オプションの文字色を前記第２発光色情報に対応する色に設定するステップを含む。
【００１４】
これにより、ユーザは第１スマートと他のスマートランプを区別できる。
【００１５】
選択的には、前記第１スマートランプに対応する制御オプションによりトリガーされた目標機能の実行指令を受信した場合、前記第１スマートランプに前記目標機能に対応する制御リクエストを送信するステップは、
第１スマートランプに対応する制御オプションによりトリガーされたネットワークアクセス機能の実行指令を受信した場合、ユーザが入力したネットワーク識別子を取得し、前記第１スマートランプにネットワークアクセスのリクエストを送信するステップであって、前記ネットワークアクセスのリクエストに前記ネットワーク識別子が含まれるステップを含む。
【００１６】
これにより、第１スマートランプを制御してネットワークに接続できる。
【００１７】
本発明の実施例における第２態様では、スマートランプを制御する方法であって、前記方法は、  第１スマートランプが起動されると、前記第１スマートランプの現在の第１発光色情報を決定するステップと、
前記第１発光色情報が含まれるデバイス起動通知をブロードキャストするステップと、
端末により送信した目標機能に対応する制御リクエストを受信し、前記目標機能を実行するステップと、を含む。
【００１８】
選択的には、前記方法は、
前記端末により送信した、第２発光色情報が含まれる発光色切替リクエストを受信するするステップと、
発光色を前記第２発光色情報に対応する発光色に切替えるステップと、を更に含む。
【００１９】
これにより、第１スマートランプの発光色を切替えることができる。
【００２０】
選択的には、前記方法は、
前記端末により送信した、他のスマートランプの発光色情報が含まれる発光色切替リクエストを受信するステップと、
発光色を前記他のスマートランプの発光色情報に対応する発光色以外の発光色に切替え、切替えられた発光色に対応する第２発光色情報を決定するステップと、
前記端末に前記第２発光色情報を送信するステップと、を更に含む。
【００２１】
これにより、第１スマートランプの発光色を切替えることができる。
【００２２】
選択的には、端末により送信した目標機能に対応する制御リクエストを受信し、前記目標機能を実行するステップは、
前記端末により送信した、ネットワーク識別子が含まれるネットワークアクセスのリクエストを受信するステップと、
前記ネットワーク識別子に基づいて対応するネットワークに接続するステップとを含む。
【００２３】
これにより、第１スマートランプを制御してネットワークに接続できる。
【００２４】
本発明の実施例における第３態様では、端末であって、前記端末は、
第１スマートランプがブロードキャストした、前記第１スマートランプの現在の第１発光色情報が含まれるデバイス起動通知を受信するための受信モジュールと、
前記第１発光色情報に基づいて、前記第１スマートランプに対応する制御オプションを表示するための表示モジュールと、
前記第１スマートランプに対応する制御オプションによりトリガーされた目標機能の実行指令を受信した場合、前記第１スマートランプに前記目標機能に対応する制御リクエストを送信するための送信モジュールと、を含む。
【００２５】
選択的には、前記表示モジュールは、
既に受信された他のスマートランプが送信したデバイス起動通知に含まれた発光色情報に前記第１発光色情報が含まれる場合、前記他のスマートランプが送信したデバイス起動通知に含まれた発光色情報以外の第２発光色情報を決定するための決定サブモジュールと、
前記第１スマートランプに発光色切替リクエストを送信するための第１送信サブモジュールであって、前記発光色切替リクエストに前記第２発光色情報が含まれる、第１送信サブモジュールと、
前記第２発光色情報に基づいて、前記第１スマートランプに対応する制御オプションを表示するための第１表示サブモジュールと、を含む。
【００２６】
選択的には、前記表示モジュールは、
既に受信された他のスマートランプが送信したデバイス起動通知に含まれた発光色情報に前記第１発光色情報が含まれる場合、前記第１スマートランプに発光色切替リクエストを送信するための第２送信サブモジュールであって、前記発光色切替リクエストに前記他のスマートランプが送信したデバイス起動通知に含まれた発光色情報が含まれる、第２送信サブモジュールと、
前記第１スマートランプが送信した第２発光色情報を受信するための受信サブモジュールと、
前記第２発光色情報に基づいて、前記第１スマートランプに対応する制御オプションを表示するための第２表示サブモジュールと、を含む。
【００２７】
選択的には、前記表示モジュールは、
前記第１スマートランプに対応する制御オプションを表示し、前記制御オプションの文字色を前記第２発光色情報に対応する色に設定する。
【００２８】
選択的には、前記送信モジュールは、
前記第１スマートランプに対応する制御オプションによりトリガーされたネットワークアクセス機能の実行指令を受信した場合、ユーザが入力したネットワーク識別子を取得し、前記第１スマートランプに、前記ネットワーク識別子が含まれるネットワークアクセスのリクエストを送信する。
【００２９】
本発明の実施例における第４態様では、第１スマートランプであって、前記第１スマートランプは、
第１スマートランプが起動されると、前記第１スマートランプの現在の第１発光色情報を決定するための決定モジュールと、
前記第１発光色情報が含まれるデバイス起動通知をブロードキャストするためのブロードキャストモジュールと、
端末により送信した目標機能に対応する制御リクエストを受信し、前記目標機能を実行するための実行モジュールと、を含む。
【００３０】
選択的には、前記スマートランプは、
前記端末により送信した、第２発光色情報が含まれる発光色切替リクエストを受信するための受信モジュールと、
発光色を前記第２発光色情報に対応する発光色に切替えるための切替モジュールと、を更に含む。
【００３１】
選択的には、前記受信モジュールは、更に他のスマートランプの発光色情報が含まれる前記端末により送信する発光色切替リクエストを受信するように構成され、
前記切替モジュールは、更に発光色を前記他のスマートランプの発光色情報に対応する発光色以外の発光色に切替え、切替えられた発光色に対応する第２発光色情報を決定するように構成され、
前記送信モジュールは、更に前記端末に前記第２発光色情報を送信する。
【００３２】
選択的には、前記受信モジュールは、前記端末により送信するネットワーク識別子が含まれるネットワークアクセスのリクエストを受信するように構成され、
前記実行モジュールは、前記ネットワーク識別子に基づいて対応するネットワークに接続する。
【００３３】
本発明の実施例における第５態様では、スマートランプを制御するシステムであって、前記システムは、
前記第１スマートランプがブロードキャストした、前記第１スマートランプの現在の第１発光色情報が含まれるデバイス起動通知を受信し、前記第１発光色情報に基づいて、前記第１スマートランプに対応する制御オプションを表示し、前記第１スマートランプに対応する制御オプションによりトリガーされた目標機能の実行指令を受信した場合、前記第１スマートランプに前記目標機能に対応する制御リクエストを送信するための端末と、
前記第１スマートランプが起動されると、前記第１スマートランプの現在の第１発光色情報を決定し、前記第１発光色情報が含まれたデバイス起動通知をブロードキャストし、端末により送信する目標機能に対応する制御リクエストを受信し、前記目標機能を実行するためのスマートランプと、を含む。
【００３４】
本発明の実施例における技術案は、以下の有利な効果を奏する。
【００３５】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーされた目標機能の実行指令を受信した場合、第１スマートランプに目標機能に対応する制御リクエストを送信し、端末により送信する目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見つけることができ、スマートランプを制御する効率を向上できる。
【００３６】
前述の一般的な説明及び後述する詳細な説明の両方とも典型的かつ説明的なものに過ぎず、本開示を限定するものではないと理解されるべきである。
【図面の簡単な説明】
【００３７】
本開示に取り入れられ、詳細な説明とともに本開示の一部を構成する添付の図面は、本発明に合致する実施形態を例示し、詳細な説明とともに本発明の原理を説明するためのものである。
【図１】ある実施例によるスマートランプを制御することを示すフローチャートである。
【図２】ある実施例によるスマートランプを制御することを示すシーン図である。
【図３】ある実施例による端末のインターフェース表示を示す模式図である。
【図４】ある実施例による端末のインターフェース表示を示す模式図である。
【図５】ある実施例によるスマートランプを制御することを示すフローチャートである。
【図６】ある実施例によるスマートランプを制御することを示すフローチャートである。
【図７】ある実施例による端末の構成を示す模式図である。
【図８】ある実施例による端末の構成を示す模式図である。
【図９】ある実施例による端末の構成を示す模式図である。
【図１０】ある実施例による第１スマートランプの構成を示す模式図である。
【図１１】ある実施例による第１スマートランプの構成を示す模式図である。
【図１２】ある実施例による端末の構成を示す模式図である。
【図１３】ある実施例によるスマートランプの構成を示す模式図である。
【００３８】
前記図面により、本発明の明確な実施形態が示されており、以下はより詳細に説明する。これらの図面及び文字記載は本発明の思想範囲を限定するものではなく、特定された実施例を参照することにより当業者に本発明の概念を説明する。
【発明を実施するための形態】
【００３９】
以下、本発明の例示的な実施例について図面を参照して詳細に説明する。以下の詳細な説明で参照する添付の図面では、特に示さない限り、異なる図面において同じ番号は同じ要素又は類似の要素を意味する。以下の典型的な実施形態の説明における実施形態は、本発明の記載と合致する全ての実施形態を表すものではない。むしろ、それらは、添付の特許請求の範囲において列挙されるように、本発明に関連する観点と一致する装置及び方法の単なる一例に過ぎない。
【００４０】
本発明のある例示的な実施例にスマートランプの制御方法が提供され、スマートランプの制御方法は端末及びスマートランプによって実現される。そのうち、端末はスマートフォン、タブレットＰＣなどでもよく、端末にスマートデバイスの管理アプリケーションがインストールされることができ、当該端末にプロセッサ、メモリ、トランシーバなどが設置され、プロセッサはスマートランプを制御するプロセスの処理に用いられるように構成され、メモリはスマートランプを制御するプロセスにおいて必要なデータ及び生成されたデータを記憶できるように構成され、トランシーバはメッセージを受信・送信するように構成され、当該端末に、スクリーンなど出入力デバイスを設置でき、スクリーンはスマートデバイスの管理アプリケーションインターフェースなどを表示し、当該スクリーンはタッチスクリーンでもよい。スマートランプにプロセッサ、メモリ、トランシーバ、発光部材などを設置でき、プロセッサはスマートランプを制御するプロセスの処理に用いられるように構成され、メモリはスマートランプを制御するプロセスにおいて必要なデータ及び生成されたデータを記憶できるように構成され、トランシーバはメッセージを受信・送信するように構成され、発光部材は一定の色で発光でき、発光色を切り替えることができる。本実施例において、端末としては携帯電話を例にして、技術案を詳細に説明する。これに類似する状況は、本実施例において詳細な説明を加えない。
【００４１】
実施前に、ユーザは端末にスマートデバイスの管理アプリケーションをインストールして当該管理アプリケーションを操作して開くことができ、端末の管理アプリケーションを表示する登録インターフェースをトリガーし、ユーザは当該インターフェースにアカウント及びパスワードを入力して確認ボタンをクリックし、端末の管理アプリケーションを表示するメインインターフェースをトリガーする。こうすると、当該アカウントは当該管理アプリケーションに登録できる。
【００４２】
図１に示すように、当該方法の処理過程は以下のステップを含む。即ち、
【００４３】
ステップ１０１において、第１スマートランプが起動されると、第１スマートランプの現在の第１発光色情報を決定する。
【００４４】
実施例において、ユーザは第１スマートランプを起動する、つまり、第１スマートランプを通電する際、第１スマートランプが発光し、現在の第１発光色情報も決定でき、第１発光色情報に第１スマートランプの現在の発光色、例えば赤色、黄色、青色などが含まれてもよい。
【００４５】
ステップ１０２において、第１発光色情報が含まれたデバイス起動通知をブロードキャストする。
【００４６】
実施例において、第１スマートランプは、現在の第１発光色情報が決定された後、自身のデバイスタイプ情報（例えば、スマートランプ）、アドレス情報（例えば、ＭＡＣ（Ｍｅｄｉａ  Ａｃｃｅｓｓ  Ｃｏｎｔｒｏｌ、メディアアクセス制御）アドレス）なども取得でき、暗号プロトコル（スマートランプと端末との間に約束するあるプロトコル）を介して周囲へデバイス起動通知をブロードキャストし、当該デバイス起動通知に第１スマートランプ第１発光色情報、デバイスタイプ情報、アドレス情報が含まれてもよい。
【００４７】
ステップ１０３において、第１スマートランプがブロードキャストした、第１スマートランプの現在の第１発光色情報が含まれるデバイス起動通知を受信する。
【００４８】
実施例において、端末は第１スマートランプがブロードキャストするデバイス起動通知を受信し、更に当該デバイス起動通知を解析し、第１スマートランプの第１発光色情報、デバイスタイプ情報、アドレス情報を取得できる。
【００４９】
ステップ１０４において、第１発光色情報により、第１スマートランプに対応する制御オプションを表示する。
【００５０】
好ましくは、端末は第１スマートランプの発光色を特定できる。その処理は、受信された他のスマートランプが送信したデバイス起動通知に含まれた発光色情報に第１発光色情報が含まれる場合、他のスマートランプが送信したデバイス起動通知に含まれた発光色情報以外の第２発光色情報を決定する。第１スマートランプに発光色切替リクエストを送信し、発光色切替リクエストに第２発光色情報が含まれる。第２発光色情報により、第１スマートランプに対応する制御オプションを表示する。
【００５１】
実施例において、図２に示すように、端末に複数の発光色を予め記憶できる。ユーザが、第１スマートランプも含まれた複数のスマートランプを同時に起動する際、これらの複数のスマートランプが同時にデバイス起動通知をブロードキャストする。デバイス通知に発光色情報が含まれ、第１スマートランプが送信したデバイス通知を受信する前に、端末は他のスマートランプのデバイス起動通知を既に受信した場合、第１スマートランプの第１発光色情報を取得した後、端末は受信された他のスマートランプに対応する発光色情報を取得できる。他のスマートランプの発光色情報に第１発光色情報が含まれる場合、端末に予め記憶された発光色を取得し、そして受信された他のスマートランプの発光色情報以外の発光色情報を第２発光色情報として取得し、且つ、発光色切替リクエストを生成し、取得した第１スマートランプのアドレス情報に基づいて、第１スマートランプに発光色切替リクエストを送信する。当該発光色切替リクエストに第２発光色情報が含まれ、そして、端末は第２発光色情報に対応する第２発光色により、インターフェースに第１スマートランプに対応する制御オプションを表示する。
【００５２】
選択的には、第１スマートランプは発光色を端末が特定した発光色に切替える。その処理は、端末により送信した発光色切替リクエストを受信し、発光色切替リクエストに第２発光色情報が含まれる。発光色を第２発光色情報に対応する発光色に切替える。
【００５３】
実施例において、第１スマートランプは、端末により送信した発光色切替リクエストを受信した後、当該発光色切替リクエストを解析し、当該発光色切替リクエストから第２発光色情報を取得でき、さらに第２発光色情報に対応する第２発光色が得られ、その後、第１スマートランプ発光色を第２発光色に切替える。例えば、第１スマートランプの現在の発光色は白色であり、第１スマートランプが取得した第２発光色情報に対応する第２発光色は赤色と青色である場合、第１スマートランプは自身の発光色を白色から赤色と青色に切替える。
【００５４】
選択的には、端末は第１スマートランプが発光色を切替えるように制御できる。その処理は、受信された他のスマートランプが送信したデバイス起動通知に含まれた発光色情報に第１発光色情報が含まれる場合、第１スマートランプに発光色切替リクエストを送信し、発光色切替リクエストに他のスマートランプが送信したデバイス起動通知に含まれた発光色情報が含まれる。第１スマートランプが送信した第２発光色情報を受信する。第２発光色情報に基づいて、第１スマートランプに対応する制御オプションを表示する。
【００５５】
実施例において、図２に示すように、ユーザが第１スマートランプも含まれた複数のスマートランプを同時に起動にする際、これらの複数のスマートランプが同時にデバイス起動通知をブロードキャストする。デバイス通知に発光色情報が含まれ、第１スマートランプが送信したデバイス通知を受信する前に、端末は他のスマートランプのデバイス起動通知を既に受信した場合、第１スマートランプの第１発光色情報を取得した後、端末は受信された他のスマートランプに対応する発光色情報を取得でき、且つ、発光色切替リクエストを生成し、その後、第１スマートランプのアドレス情報に基づいて、第１スマートランプに発光色切替リクエストを送信し、発光色切替リクエストに受信された他のスマートランプの発光色情報、端末のアドレス情報などが含まれる。
【００５６】
選択的には、第１スマートランプは自身の発光色を端末が受信した他のスマートランプの発光色以外の発光色に切替えることができる。その処理は、即ち、端末が受信端末により送信された発光色切替リクエストを受信した場合、発光色切替リクエストに他のスマートランプの発光色情報が含まれる。発光色を他のスマートランプの発光色情報に対応する発光色以外の発光色に切替え、切替えられた発光色に対応する第２発光色情報を決定する。端末に第２発光色情報を送信する。
【００５７】
実施例において、第１スマートランプは、端末により送信した発光色切替リクエストを受信した後、当該発光色切替リクエストを解析し、端末が受信した他のスマートランプの発光色情報を取得でき、端末が受信した他のスマートランプの発光色情報に対応する発光色が決定でき、記憶された発光色情報を取得でき、他のスマートランプの発光色情報に対応する発光色以外の発光色を第２発光色として選択し、発光色を第１発光色から第２発光色に切替えられた後、切替えられた第２発光色に対応する第２発光色情報を決定し、取得した端末のアドレス情報に基づいて、端末に第２発光色情報を送信する。例えば、第１スマートランプが取得した他のスマートランプの発光色情報に対応する発光色には、赤色、黄色、赤色及び青色、白色がある場合、現在の第１発光色は、赤色及び青色であれば、赤色及び青色を黄色及び青色に変更しても良い。即ち、第２発光色は、黄色及び青色であり、黄色と青色とに対応する第２発光色情報を決定し、端末に第２発光色情報を送信することができる。
【００５８】
選択的には、端末は制御オプションの文字色を第１スマートランプの発光色と設定できる。その処理は、第１スマートランプに対応する制御オプションを表示し、制御オプションにおける文字色を第２発光色情報に対応する色に設定する。
【００５９】
実施例において、図３に示すように、第２発光色情報に対応する第２発光色が決定された後、端末は第１スマートランプに対応する制御オプションにおける文字色を第２発光色に設定し、その後、インターフェースに第１スマートランプの制御オプションを表示する。これにより、スマートランプをその制御オプションに対応させ、ユーザが容易に区別できる。例えば、端末が第２発光色情報に対応する発光色が赤色であると決定した場合、インターフェースに表示される制御オプションの文字色が赤色になる。
【００６０】
また、端末が決定した第１スマートランプの第２発光色情報に対応する第２発光色が複数の色である場合、制御オプションを表示する際、制御オプションにおける文字色を変更せず、制御オプションの側の一定の位置に第２発光色を表示する。例えば、第２発光色情報に対応する第２発光色は赤色と青色である場合、端末が制御オプションを表示する際、制御オプションの左側に色表記フレームを表示する（例えば、四角フレームにおいて、上半部が赤色で、下半部が青色であり、円形において、上半部が赤色で、下半部が青色であるなど）。
【００６１】
ステップ１０５において、第１スマートランプに対応する制御オプションによりトリガーされた目標機能の実行指令を受信した場合、第１スマートランプに目標機能に対応する制御リクエストを送信する。
【００６２】
実施例において、図４に示すように、端末が決定された第１スマートランプの第２発光色情報を受信した後、インターフェースに第１スマートランプの制御オプション（例えば、発光色切替オプション、ネットワークアクセスオプション）を表示でき、それぞれの制御オプションは１つの目標機能に対応する。例えば、ネットワークアクセスオプションはスマートランプを制御してネットワークに接続する機能に対応し、発光色切替オプションはスマートランプの発光色を切替える機能に対応するなどである。端末は、ユーザのある制御オプションに対するタッチ指令を受信した場合、当該制御オプションに対応する目標機能を取得でき、その後、第１スマートランプのアドレス情報により、暗号プロトコルを介して第１スマートランプに当該目標機能に対応する制御リクエストを送信することができる。
【００６３】
選択的には、端末は第１スマートランプをネットワークに接続させる。その処理は、第１スマートランプに対応する制御オプションによりトリガーされたネットワークアクセス機能の実行指令を受信した場合、ユーザが入力したネットワーク識別子を取得し、第１スマートランプにネットワーク識別子が含まれるネットワークアクセスのリクエストを送信する。
【００６４】
実施例において、端末はインターフェースに第１スマートランプの制御オプションを表示でき、制御オプションにオン／オフのオプション、発光色切替オプション、ネットワークアクセスオプションなどがあり、ユーザが第１スマートランプを制御してネットワークに接続しようとすると、ユーザは確認ボタンをタッチし、ネットワークアクセスインターフェースを表示するようにトリガーでき、ユーザはネットワークのアカウント及びパスワードを入力し、次へというボタンをタッチすることができる。端末は、タッチ指令を検出する際、ユーザが入力したネットワーク識別（ネットワークのアカウント及びパスワード）を取得でき、その後、端末は、第１スマートランプのアドレス情報を取得し、第１スマートランプのアドレス情報に基づいて、第１スマートランプにネットワーク識別が含まれたネットワークアクセスのリクエストを送信し、第１スマートランプを当該ネットワーク識別に対応するネットワークに接続させる。
【００６５】
また、ユーザは発光色切替オプションをタッチでき、端末はタッチ指令を受信した際に全ての発光色オプションを表示することができ、ユーザは切替えようとする発光色オプションをタッチでき、端末は第１スマートランプに発光色切替リクエストを送信するようにトリガし、当該発光色切替リクエストにはユーザが選択した発光色が含まれ、端末は第１スマートランプの発光色をユーザが選択した発光色に切替える。
【００６６】
ステップ１０６において、端末により送信した目標機能に対応する制御リクエストを受信し、目標機能を実行する。
【００６７】
実施例において、第１スマートランプが端末により送信した目標機能に対応する制御リクエストを受信した後、当該制御リクエストを解析し、目標機能を取得して目標機能を実行することができる。例えば、第１スマートランプが端末により送信した発光色切替オプションに対応する制御リクエストを受信した後、当該制御リクエストを解析し、発光色を切替える。
【００６８】
好ましくは、第１スマートランプはネットワークに接続できる。その処理は、端末により送信したネットワークアクセスのリクエストを受信し、ネットワークアクセスのリクエストにネットワーク識別が含まれる。ネットワーク識別に基づいて対応するネットワークに接続する。
【００６９】
実施例において、第１スマートランプが端末により送信したネットワークアクセスのリクエストを受信した後、当該ネットワークアクセスのリクエストを解析し、ネットワーク識別を取得でき、第１スマートランプはネットワーク識別に対応するネットワークに接続する。第１スマートランプが当該ネットワークに接続した後、端末と第１スマートランプとの間は当該ネットワークを介して通信できる。
【００７０】
本発明の実施例において、図５に示すように、当該方法において、端末の処理過程に以下のステップを含んでもよい。
【００７１】
ステップ２０１において、第１スマートランプがブロードキャストしたデバイス起動通知を受信する。デバイス起動通知には、第１スマートランプの現在の第１発光色情報が含まれる。
【００７２】
ステップ２０２において、第１発光色情報に基づいて、第１スマートランプに対応する制御オプションを表示する。
【００７３】
ステップ２０３において、第１スマートランプに対応する制御オプションによりトリガーされた目標機能の実行指令を受信した場合、第１スマートランプに目標機能に対応する制御リクエストを送信する。
【００７４】
図６に示すように、当該方法において、第１スマートランプの処理過程に以下のステップが含まれてもよい。
【００７５】
ステップ３０１において、第１スマートランプが起動されると、第１スマートランプの現在の第１発光色情報を決定する。
【００７６】
ステップ３０２において、第１発光色情報が含まれるデバイス起動通知をブロードキャストする。
【００７７】
ステップ３０３において、端末により送信した目標機能に対応する制御リクエストを受信し、目標機能を実行する。
【００７８】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーした目標機能の実行指令を受信した場合、第１スマートランプに目標機能に対応する制御リクエストを送信し、端末により送信した目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見つけることができ、スマートランプを制御する効率を向上できる。
【００７９】
本発明におけるもう１つの例示的な実施例には、端末が提供される。図７に示すように、当該端末は、
第１スマートランプがブロードキャストした、前記第１スマートランプの現在の第１発光色情報が含まれるデバイス起動通知を受信するための受信モジュール７１０と、
前記第１発光色情報に基づいて、前記第１スマートランプに対応する制御オプションを表示するための表示モジュール７２０と、
前記第１スマートランプに対応する制御オプションによりトリガーされた目標機能の実行指令を受信した場合、前記第１スマートランプに前記目標機能に対応する制御リクエストを送信するための送信モジュール７３０とを含む。
【００８０】
選択的には、図８に示すように、前記表示モジュール７２０は、
既に受信された他のスマートランプが送信したデバイス起動通知に含まれた発光色情報に前記第１発光色情報が含まれる場合、前記他のスマートランプが送信したデバイス起動通知に含まれた発光色情報以外の第２発光色情報を決定するための前記決定サブモジュール７２１と、
前記第１スマートランプに発光色切替リクエストを送信するための前記第１送信サブモジュール７２２であって、前記発光色切替リクエストに前記第２発光色情報が含まれる、前記第１送信サブモジュール７２２と、
前記第２発光色情報に基づいて、前記第１スマートランプに対応する制御オプションを表示するための前記第１表示サブモジュール７２３と、を含む。
【００８１】
好ましくは、図９に示すように、前記表示モジュール７２０は、
既に受信された他のスマートランプが送信したデバイス起動通知に含まれた発光色情報に前記第１発光色情報が含まれる場合、前記第１スマートランプに発光色切替リクエストを送信するための前記第２送信サブモジュール７２４であって、前記発光色切替リクエストに前記他のスマートランプが送信したデバイス起動通知に含まれた発光色情報が含まれる、前記第２送信サブモジュール７２４と、
前記第１スマートランプが送信した第２発光色情報を受信するための前記受信サブモジュール７２５と、
前記第２発光色情報に基づいて、前記第１スマートランプに対応する制御オプションを表示するための前記第２表示サブモジュール７２６と、を含む。
【００８２】
選択的には、前記表示モジュール７２０は、前記第１スマートランプに対応する制御オプションを表示し、前記制御オプションの文字色を前記第２発光色情報に対応する色に設定する。
【００８３】
選択的には、前記送信モジュール７３０は、前記第１スマートランプに対応する制御オプションによりトリガーされたネットワークアクセス機能の実行指令を受信した場合、ユーザが入力したネットワーク識別子を取得し、前記第１スマートランプに前記ネットワーク識別子が含まれるネットワークアクセスのリクエストを送信する。
【００８４】
同じ技術思想に基づいて、本発明の実施例に第１スマートランプも提供される。図１０に示すように、当該第１スマートランプは、
第１スマートランプが起動されると、前記第１スマートランプの現在の第１発光色情報を決定するための決定モジュール１０１０と、
前記第１発光色情報が含まれるデバイス起動通知をブロードキャストするためのブロードキャストモジュール１０２０と、
端末により送信した目標機能に対応する制御リクエストを受信し、前記目標機能を実行するための実行モジュール１０３０と、を含む。
【００８５】
選択的には、図１１に示すように、前記第１スマートランプは、
前記端末により送信した、第２発光色情報が含まれる発光色切替リクエストを受信するための前記受信モジュール１０４０と、
発光色を前記第２発光色情報に対応する発光色に切替えるための前記切替モジュール１０５０と、を含む。
【００８６】
選択的には、前記受信モジュール１０４０は、さらに前記端末により送信した、他のスマートランプの発光色情報が含まれる発光色切替リクエストを受信するように構成され、
前記切替モジュール１０５０は、さらに発光色を前記他のスマートランプの発光色情報に対応する発光色以外の発光色に切替え、切替えられた発光色に対応する第２発光色情報を決定し、
前記端末に前記第２発光色情報を送信する。
【００８７】
選択的には、前記受信モジュール１０４０は前記端末により送信した、ネットワーク識別子が含まれるネットワークアクセスのリクエストを受信し、
前記実行モジュール１０３０は前記ネットワーク識別子に基づいて対応するネットワークに接続する。
【００８８】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーされた目標機能の実行指令を受信した場合、第１スマートランプに目標機能に対応する制御リクエストを送信し、端末により送信した目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見つけることができ、スマートランプを制御する効率を向上できる。
【００８９】
前記実施例における端末及び第１スマートランプについて、各々のモジュールが操作する具体的な手段は既に当該方法に関る実施例に詳細に記載されたため、ここで詳細な説明を省略する。
【００９０】
なお、前記実施例に提供されたスマートランプを制御する端末及びスマートランプを制御する第１スマートランプについて、各機能を有する前記モジュールに基づいて例を挙げて説明した。実際の応用では、需要に応じて前記機能を分配し、それぞれの機能を有するモジュールにより実行できる。つまり、前記あらゆる又は一部の機能を完成するために、装置の内部構造をそれぞれの機能を有するモジュールに分ける。また、前記実施例においてスマートランプを制御する方法と、スマートランプを制御する端末及び第１スマートランプの実施例は同じ思想に属しており、その具体的な実現過程は方法の実施例から分かるため、ここでは詳細な説明を加えない。
【００９１】
本発明におけるもう１つの例示的な実施例にスマートランプを制御するシステムが提供され、前記システムは、
前記第１スマートランプがブロードキャストした、前記第１スマートランプの現在の第１発光色情報が含まれるデバイス起動通知を受信し、前記第１発光色情報に基づいて、前記第１スマートランプに対応する制御オプションを表示し、前記第１スマートランプに対応する制御オプションによりトリガーした目標機能の実行指令を受信した場合、前記第１スマートランプに前記目標機能に対応する制御リクエストを送信する前記端末と、
前記第１スマートランプが起動されると、前記第１スマートランプの現在の第１発光色情報を決定し、前記第１発光色情報が含まれたデバイス起動通知をブロードキャストし、端末により送信した目標機能に対応する制御リクエストを受信し、前記目標機能を実行する前記スマートランプとを含む。
【００９２】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーされた目標機能の実行指令を受信した場合、第１スマートランプに目標機能に対応する制御リクエストを送信し、端末により送信した目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見つけることができ、スマートランプを制御する効率を向上できる。
【００９３】
本発明におけるもう１つの例示的な実施例に端末の構成模式図が提供され、当該端末は携帯電話、タブレットＰＣなどであってよい。
【００９４】
図１２を参照して分かるように、端末１２００は、処理部１２０１と、メモリ１２０２と、電源部１２０３と、マルチメディア部１２０４と、オーディオ部１２０５と、入出力（Ｉ／Ｏ）インターフェース１２０６と、センサ部１２０７及び通信部１２０８における一つ又は複数の部を含んでもよい。
【００９５】
処理部１２０１は一般的に、表示、電話発信、データ通信、カメラ操作及び記録操作に関連する操作など端末１２００の全体的な操作を制御する。前記方法における全て又は一部のステップを完成するように、処理部１２０１は、指令を実行する一つ又は複数のプロセッサ１２１０を含んでもよい。また、処理部１２０１は、処理部１２０１と他の部との間の交信を便利にする一つ又は複数のモジュールを含んでもよい。例えば、マルチメディア部１２０４と処理部１２０１との交信を便利にするために、処理部材１２０１は、マルチメディアモジュールを含んでもよい。
【００９６】
メモリ１２０２は、端末１２００における操作をサポートするために各種のデータを記憶するように配置される。これらのデータの例には、端末１２００で操作する任意のアプリケーション又は方法の指令が含まれ、例えば、連絡先データ、電話帳データ、メッセージ、画像、動画などがある。メモリ１２０２はあらゆる種類の揮発性又は非揮発性記憶デバイス又はその組合せにより実現される。例えば、スタティックランダムアクセスメモリ（ＳＲＡＭ）、電気的消去可能プログラム可能読取り専用メモリ（ＥＥＰＲＯＭ）、消去可能プログラム可能読取り専用メモリ（ＥＰＲＯＭ）、プログラム可能読取り専用メモリ（ＰＲＯＭ）、読取り専用メモリ（ＲＯＭ）、磁気メモリ、フラッシュメモリ、磁気ディスク又は光学ディスクなどがある。
【００９７】
電源部１２０３は端末１２００の各種の部に電力を提供する。電源部１２０３は、電源管理システムと、一つ又は複数の電源と、オーディオ出力デバイスのために電力を生成、管理、分配することに関する他の部とを含んでもよい。
【００９８】
マルチメディア部１２０４は、前記端末１２００とユーザとの間に、出力インターフェースを提供するスクリーンを有する。一部の実施例において、スクリーンは、液晶ディスプレイ（ＬＣＤ）とタッチパネル（ＴＰ）とを含んでもよい。スクリーンにタッチパネルが含まれる場合、スクリーンは、ユーザからの入力信号を受信するタッチスクリーンに実現される。タッチパネルは、タッチ、スライド及びタッチパネルに対するジェスチャを感知する一つ又は複数のタッチを有する。前記タッチセンサは、タッチ動作又はスライド動作の境界を感知するだけではなく、前記タッチ操作又はスライド操作に関する継続期間及び圧力も感知する。一部の実施例において、マルチメディア部１２０４は一つの正面カメラ及び／又は背面カメラを有する。端末１２００が操作モード、例えば撮影モード又はビデオモードになると、フロントカメラ及び／又は後カメラは外部からのマルチメディアデータを受信できる。それぞれのフロントカメラ及び後カメラは、固定焦点レンズシステムであってよく、又はフォーカス及び光学ズーム性能を有しても良い。
【００９９】
オーディオ部１２０５は、オーディオ信号を出力及び／又は入力するように構成される。例えば、オーディオ部１２０５は一つのマイクロフォン（ＭＩＣ）を有し、オーディオ出力デバイス１２００が操作モード、例えば、発信モード、記録モード及び音声認識モードにある場合、マイクロフォンは外部オーディオ信号を受信するように構成される。受信したオーディオ信号はさらにメモリ１２０２に記憶され、又は通信部１２０８により発送されてよい。
【０１００】
Ｉ／Ｏインターフェース１２０６は、処理部１２０１と周辺インターフェースモジュールとの間にインターフェースを提供する。前記周辺インターフェースモジュールは、キーボード、クリックホイール、ボタンなどであってよい。これらのボタンには、ホームボタン、ボリュームボタン、スタートボタン及びロックボタンが含まれるが、これらに限定されない。
【０１０１】
センサ部１２０７は、端末１２００の各方面のステータスを評価する一つ又は複数のセンサを有する。例えば、センサ部１２０７は、端末１２００のオン／オフ状態、各部の相対的な位置決めを検出できる。例えば、前記部は端末１２００のモニター及びサブキーボードである。センサ部１２０７は、端末１２００又は端末１２００における一つの部の位置変更、ユーザが端末１２００との接触の存在又は不存在、端末１２００の方位、又は加速／減速及び端末１２００の温度変化を検出する。センサ部１２０７は、何の物理的な接触もない場合に、周りの物体の存在を検出するように構成された近接センサを含んでもよい。センサ部１２０７は結像アプリに応用する光センサを含んでもよい。例えばＣＭＯＳ又はＣＣＤ画像センサがある。一部の実施例において、当該センサ部１２０７は加速度センサ、ジャイロスコープセンサ、磁気センサ、圧力センサ又は温度センサを含んでもよい。
【０１０２】
通信部１２０８は、端末１２００が他のデバイスと有線又は無線の方式より通信できるように構成される。端末１２００は通信規格に基づいた無線ネットワークに接続でき、例えばＷｉＦｉ、２Ｇ又は３Ｇ又はそれらの組合せがある。一つの例示的な実施例において、通信部材１２０８はブロードキャストチャンネルを介して外部のブロードキャスト管理システムからのブロードキャスト信号又はブロードキャストに関する情報を受信する。一つの例示的な実施例において、前記通信部材１２０８は、近距離通信を促進する近距離無線通信（ＮＦＣ）モジュールを有する。例えば、ＮＦＣモジュールにおいて、無線ＩＤ（ＲＦＩＤ）技術、赤外線通信規格（ＩｒＤＡ）技術、超広域無線（ＵＷＢ）技術、Ｂｌｕｅｔｏｏｔｈ（登録商標）（ＢＴ）技術及び他の技術に基づいて実現する。
【０１０３】
例示的な実施例において、前記方法を実行するために、端末１２００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部材により実現される。
【０１０４】
例示的な実施例において、指令が含まれた非一時のコンピュータ可読記憶媒体も提供される。例えば、指令が含まれたメモリ１２０２がある。前記方法を完成するために、前記指令は、端末１２００のプロセッサ１２１０により実行する。例えば、前記非一時のコンピュータ可読記憶媒体は、ＲＯＭ、ランダムアクセスメモリ（ＲＡＭ）、ＣＤ−ＲＯＭ、カセット、ソフトディスク及び光学データ記憶デバイスなどであってよい。
【０１０５】
非一時のコンピュータ可読記憶媒体であり、前記記憶媒体における指令は、端末のプロセッサにより実行される際に、端末に上で述べた方法を実行させることができる。前記方法は、
第１スマートランプがブロードキャストした、前記第１スマートランプの現在の第１発光色情報が含まれるデバイス起動通知を受信するステップと、
前記第１発光色情報に基づいて、前記第１スマートランプに対応する制御オプションを表示するステップと、
前記第１スマートランプに対応する制御オプションによりトリガーされた目標機能の実行指令を受信した場合、前記第１スマートランプに前記目標機能に対応する制御リクエストを送信するステップとを含む。
【０１０６】
選択的には、前記第１発光色情報に基づいて、前記第１スマートランプに対応する制御オプションを表示するステップは、
既に受信された他のスマートランプが送信したデバイス起動通知に含まれた発光色情報に前記第１発光色情報が含まれる場合、前記他のスマートランプが送信したデバイス起動通知に含まれた発光色情報以外の第２発光色情報を決定するステップと、
前記第１スマートランプに発光色切替リクエストを送信するステップであって、前記発光色切替リクエストに前記第２発光色情報が含まれるステップと、
前記第２発光色情報に基づいて、前記第１スマートランプに対応する制御オプションを表示するステップと、を含む。
【０１０７】
選択的には、前記第１発光色情報に基づいて、前記第１スマートランプに対応する制御オプションを表示するステップは、
既に受信された他のスマートランプが送信したデバイス起動通知に含まれた発光色情報に前記第１発光色情報が含まれる場合、前記第１スマートランプに発光色切替リクエストを送信するステップであって、前記発光色切替リクエストに前記他のスマートランプが送信したデバイス起動通知に含まれた発光色情報が含まれるステップと、
前記第１スマートランプが送信した第２発光色情報を受信するステップと、
前記第２発光色情報に基づいて、前記第１スマートランプに対応する制御オプションを表示するステップと、を含む。
【０１０８】
選択的には、前記第２発光色情報に基づいて、前記第１スマートランプに対応する制御オプションを表示するステップは、
前記第１スマートランプに対応する制御オプションを表示し、前記制御オプションの文字色を前記第２発光色情報に対応する色に設定するステップを含む。
【０１０９】
選択的には、前記第１スマートランプに対応する制御オプションによりトリガーされた目標機能の実行指令を受信した場合、前記第１スマートランプに前記目標機能に対応する制御リクエストを送信するステップは、
第１スマートランプに対応する制御オプションによりトリガーしたネットワークアクセス機能の実行指令を受信した場合、ユーザが入力したネットワーク識別子を取得し、第１スマートランプにネットワークアクセスのリクエストを送信するステップであって、ネットワークアクセスのリクエストにネットワーク識別子が含まれるステップを含む。
【０１１０】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーした目標機能の実行指令を受信した場合、第１スマートランプに目標機能に対応する制御リクエストを送信し、端末により送信した目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見付けることができ、スマートランプを制御する効率を向上できる。
【０１１１】
本発明におけるもう一つの例示的な実施例にスマートランプの構造の模式図が提供される。
【０１１２】
図１３を参照して分かるように、端末１３００は、処理部１３０１と、メモリ１３０２と、電源部１３０３と、発光部材１３０４と、オーディオ部１３０５と、入出力（Ｉ／Ｏ）インターフェース１３０６、センサ部１３０７及び通信部１３０８における一つ又は複数の部を含んでもよい。
【０１１３】
処理部１３０１は一般的に、データ通信操作などスマートランプ１３００の全体的な操作を制御する。前記方法における全て又は一部のステップを完成するように、処理部１３０１は、指令を実行する一つ又は複数のプロセッサ１３１０を含んでもよい。また、処理部１３０１は、処理部１３０１と他の部との間の交信を便利にする一つ又は複数のモジュールを含んでもよい。
【０１１４】
メモリ１３０２は、スマートランプ１３００における操作をサポートするために各種のデータを記憶するように配置される。これらのデータの例には、スマートランプ１３００で操作する任意のアプリケーション又は方法の指令が含まれる。メモリ１３０２はあらゆるの種類の揮発性又は非揮発性記憶デバイス又はその組合せにより実現される。例えば、スタティックランダムアクセスメモリ（ＳＲＡＭ）、電気的消去可能プログラム可能読取り専用メモリ（ＥＥＰＲＯＭ）、消去可能プログラム可能読取り専用メモリ（ＥＰＲＯＭ）、プログラム可能読取り専用メモリ（ＰＲＯＭ）、読取り専用メモリ（ＲＰＭ）、磁気メモリ、フラッシュメモリ、磁気ディスク又は光学ディスクなどがある。
【０１１５】
電源部１３０３はスマートランプ１３００の各種の部に電力を提供する。電源部１３０３は、電源管理システムと、一つ又は複数の電源と、オーディオ出力デバイスのために電力を生成、管理、分配することに関する他の部とを含んでもよい。
【０１１６】
発光部材１３０４はスマートランプ１３００の発光色を制御する。
【０１１７】
オーディオ部１３０５は、オーディオ信号を出力及び／又は入力するように構成される。受信したオーディオ信号はさらにメモリ１３０２に記憶され、又は通信部１３０８により発送されてもよい。
【０１１８】
Ｉ／Ｏインターフェース１３０６は、処理部１３０１と周辺インターフェースモジュールとの間にインターフェースを提供する。
【０１１９】
センサ部１３０７は、スマートランプ１３００の各方面のステータスを評価する一つ又は複数のセンサを含む。例えば、センサ部１３０７は、スマートランプ１３００又はスマートランプ１３００における一つの部の位置変更、ユーザがスマートランプ１３００との接触の存在又は不存在、スマートランプ１３００の方位、又は加速／減速及びスマートランプ１３００の温度変化を検出する。センサ部１３０７は、何の物理的な接触もない場合に、周りの物体の存在を検出するように構成された近接センサを含んでもよい。
【０１２０】
通信部１３０８は、スマートランプ１３００が他のデバイスと有線又は無線の方式より通信できるように構成される。スマートランプ１３００は通信標準に基づいた無線ネットワークに接続でき、例えばＷｉＦｉがある。一つの例示的な実施例において、通信部材１３０８はブロードキャストチャンネルを介して外部のブロードキャスト管理システムからのブロードキャスト信号又はブロードキャストに関する情報を受信する。一つの例示的な実施例において、前記通信部材１３０８は、近距離通信を促進する近距離無線通信（ＮＦＣ）モジュールを有する。例えば、ＮＦＣモジュールにおいて、無線ＩＤ（ＲＦＩＤ）技術、赤外線通信規格（ＩｒＤＡ）技術、超広域無線（ＵＷＢ）技術、Ｂｌｕｅｔｏｏｔｈ（登録商標）（ＢＴ）技術及び他の技術に基づいて実現する。
【０１２１】
例示的な実施例において、前記方法を実行するために、スマートランプ１３００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部材により実現される。
【０１２２】
例示的な実施例において、指令が含まれた非一時のコンピュータ可読記憶媒体も提供される。例えば、指令が含まれたメモリがある。前記方法を完成するために、前記指令は、スマートランプ１３００のプロセッサ１３１０により実行する。例えば、前記非一時のコンピュータ可読記憶媒体はＲＯＭ、ランダムアクセスメモリ（ＲＡＭ）、ＣＤ−ＲＯＭ、カセット、ソフトディスク及びレーザデータ記憶デバイスなどであってよい。
【０１２３】
非一時のコンピュータ可読記憶媒体であり、前記記憶媒体における指令は、スマートランプのプロセッサにより実行される際に、スマートランプに上で述べた方法を実行させることができる。前記方法は、
第１スマートランプが起動されると、前記第１スマートランプの現在の第１発光色情報を決定するステップと、
前記第１発光色情報が含まれるデバイス起動通知をブロードキャストするステップと、
端末により送信した目標機能に対応する制御リクエストを受信し、前記目標機能を実行するステップとを含む。
【０１２４】
選択的には、前記方法はさらに、
前記端末により送信した、第２発光色情報が含まれた発光色切替リクエストを受信するステップと、
発光色を前記第２発光色情報に対応する発光色に切替えるステップとを含む。
【０１２５】
選択的には、前記方法はさらに、
前記端末により送信した、他のスマートランプの発光色情報が含まれた発光色切替リクエストを受信するステップと、
発光色を、前記他のスマートランプの発光色情報に対応する発光色以外の発光色に切替え、切替えられた発光色に対応する第２発光色情報を決定するステップと、
前記端末に前記第２発光色情報を送信するステップとを含む。
【０１２６】
選択的には、端末により送信した目標機能に対応する制御リクエストを受信し、前記目標機能を実行するステップは、
前記端末により送信した、ネットワーク識別子が含まれるネットワークアクセスのリクエストを受信するステップと、
前記ネットワーク識別子に基づいて対応するネットワークに接続するステップとを含む。
【０１２７】
本発明の実施例において、第１スマートランプが起動されると、第１スマートランプの現在の第１発光色情報を決定し、第１発光色情報が含まれたデバイス起動通知をブロードキャストし、第１スマートランプがブロードキャストした、第１スマートランプの現在の第１発光色情報が含まれるデバイス起動通知を受信し、第１発光色情報に基づいて、第１スマートランプに対応する制御オプションを表示し、第１スマートランプに対応する制御オプションによりトリガーされた目標機能の実行指令を受信した場合、第１スマートランプに目標機能に対応する制御リクエストを送信し、端末により送信した目標機能に対応する制御リクエストを受信し、目標機能を実行する。これにより、複数のスマートランプが同時に起動されると、第１スマートランプはデバイス通知に第１発光色情報を含み、端末は第１発光色情報によりデバイス起動通知を区別して表示でき、ユーザは色により制御しようとするスマートランプを直接見つけることができ、スマートランプを制御する効率を向上できる。
【０１２８】
明細書を参照し、開示された内容を実践すれば、当業者が本発明の他の実施形態を容易に想到できる。本出願の目的は、本発明の任意の変形、用途又は適応的な変化を提供する。これらの変形、用途又は適応的な変化は、本発明の一般原理を従い、本発明に開示されていない本分野における公知常識又は通常の技術手段を含む。明細書及び実施例は、単なる例示的であり、本発明の正式の範囲及び思想は特許請求の範囲に記載されている。
【０１２９】
なお、本発明は前記内容に記載され、図面にも示された精確な構成に限らず、その範囲から逸脱しない限り、各種の修正及び変更ができる。本発明の範囲は、特許請求の範囲によってのみ限定される。
【図１】
0006518349.tif 000002
【図２】
0006518349.tif 000003
【図３】
0006518349.tif 000004
【図４】
0006518349.tif 000005
【図５】
0006518349.tif 000006
【図６】
0006518349.tif 000007
【図７】
0006518349.tif 000008
【図８】
0006518349.tif 000009
【図９】
0006518349.tif 000010
【図１０】
0006518349.tif 000011
【図１１】
0006518349.tif 000012
【図１２】
0006518349.tif 000013
【図１３】
0006518349.tif 000014